(57)【特許請求の範囲】
【請求項１】
ランプであって、
固体光源を収容し、かつ固定ウィック材料を含む、ウィック構造体と、
前記ウィック構造体を収容するキャビティを形成している、エンベロープと、を備え、
前記キャビティが、作動流体を含むヒートパイプとして構成されており、
前記エンベロープが、前記ランプの空間的な向きとは無関係に、前記固定ウィック材料に向けて、凝縮された作動流体が誘導されるように、前記ランプの内側から見られた場合に凸状に成形されている、ランプ。
【請求項２】
前記エンベロープが、砂時計形状である、請求項１に記載のランプ。
【請求項３】
前記固定ウィック材料が、ダンベル形状である、請求項１又は２に記載のランプ。
【請求項４】
前記ウィック構造体が、支持体を更に含む、請求項１乃至３のいずれか一項に記載のランプ。
【請求項５】
前記固定ウィック材料が、少なくとも、前記固体光源が、光を放射するアクティブ状態になると、前記固体光源に作動流体を移送するように適合されている、請求項１乃至４のいずれか一項に記載のランプ。
【請求項６】
前記固定ウィック材料が、前記固体光源を収容している、請求項１乃至５のいずれか一項に記載のランプ。
【請求項７】
前記ウィック構造体の少なくとも一部分が、第２の材料によって取り囲まれている第１の材料によって形成されている、請求項１乃至６のいずれか一項に記載のランプ。
【発明の詳細な説明】
【技術分野】
【０００１】
本発明は、ランプに関する。
【背景技術】
【０００２】
固体光源、すなわちＳＳＬ（solid state light source）の分野における開発は、屋内照明及び屋外照明の双方に関して、白熱灯又は蛍光灯などの従来の光源を、ＳＳＬベースのランプで置き換えることを、実行可能かつ経済的なものにしてきた。それらの良好なエネルギー効率及び長寿命を考えた場合、ＳＳＬランプは、それらの従来の対応物よりも、環境に優しいものと見なされる場合が多い。
【０００３】
今日、ＳＳＬランプは、様々な設計で入手可能である。更には、空間内での全ての可能な向きで、ＳＳＬランプを方向付けることが可能であることが望ましい。
【０００４】
ＳＳＬランプは、１００％未満の効率である。動作中に生成される熱は、一般に、システムの有効性を低下させる恐れがあり、かつ、そのＳＳＬランプのＳＳＬ及び他の構成要素の寿命を制限する恐れがある、温度をもたらす。それゆえ、ＳＳＬランプのＳＳＬからの熱は、ＳＳＬから離れる方向に伝達される必要がある。このことを行うための１つの従来のやり方は、ヒートシンクを使用することである。別の可能性は、ＳＳＬからの熱を伝達するために使用される作動流体を含む、ヒートパイプとして、ＳＳＬランプを形成することである。しかしながら、空間内の任意の向きで、ＳＳＬランプを方向付けることが可能であることが望ましいので、作動流体が、ＳＳＬランプのＳＳＬから離れる方向に熱を効率的に伝達することができるように、ヒートパイプの設計には多大な要求が課せられている。それゆえ、ＳＳＬを備えるランプの、新規な設計が必要とされている。
【発明の概要】
【発明が解決しようとする課題】
【０００５】
本発明の目的とするところは、上記の問題のうちの少なくともいくつかを克服すること、及び、その空間内での向きとは無関係に効率的に動作され得る、改善された光出力を有するランプを提供することである。
【課題を解決するための手段】
【０００６】
本発明の第１の態様によれば、この目的及び他の目的は、ランプを提供することによって達成される。当該ランプは、固体光源を収容し（hosting）、かつ固定ウィック材料（a fixed wick material）を含む、ウィック構造体と、そのウィック構造体を収容するキャビティを形成している、エンベロープ（envelope）とを備え、当該キャビティは、作動流体を含むヒートパイプとして構成されており、エンベロープは、ランプの空間的な向きとは無関係に、固定ウィック材料に向けて、凝縮された作動流体が誘導されるように成形されている。
【０００７】
これにより、効率的な熱管理をもたらすランプが提供される。作動流体は、液相及び／又は気相であり得る。それゆえ、ウィック構造体は、毛細管力によって、固体光源ＳＳＬに向けた、液相の作動流体の移送を可能にする。ＳＳＬの動作中又は動作後に、作動流体の一部分が、ＳＳＬから発生する熱によって気化され得ることにより、気化された作動流体、すなわち気相の作動流体は、ウィック構造体から抜け出て、エンベロープの表面で凝縮することができる。エンベロープの形状は、更に、凝縮された作動流体が、固定ウィック材料に向けて誘導されることを可能にする。これにより、作動流体の効率的な再循環がもたらされる。結果として、ＳＳＬを冷却する、作動流体の量が増大され得る。これにより、ＳＳＬの効率的な冷却を可能にする、改善されたランプの温度管理がもたらされる。ＳＳＬの寿命及び効率が、更に向上され得る。エンベロープの形状はまた、使用時の、ランプの空間的な向きに対する制約も低減する。これにより、向上した耐久性及び光出力を提供する、より多用途のランプが提供される。
【０００８】
「ウィック構造体」という表現は、凝縮器から蒸発器への、すなわち、エンベロープからＳＳＬへの、流体の移送を可能にする構造体として解釈されたい。ウィック構造体の固定ウィック材料内での毛細管力が、流体の移送を駆動する。更に、ウィック構造体の形状は、ランプの向きの変化の結果として、実質的に変化するものではない。より具体的には、ウィック構造体の固定ウィック材料は、エンベロープに関連して固定されるように、配設されている。ウィック構造体は、更に、物質移送並びに熱伝達によって、ヒートパイプ機能を促進する。
【０００９】
「ヒートパイプ」という表現は、熱伝導性の原理と相転移の原理とを組み合わせることにより、２つの界面間での熱の伝達を効率的に管理することが可能な、熱伝達装置として解釈されたい。換言すれば、ヒートパイプは、ウィック構造体を収容している、エンベロープのキャビティによって形成されている。蒸発器、凝縮器、及び作動流体が、熱伝達をもたらす。熱伝達は、蒸発器からの熱発生によって駆動される、作動流体の気化と凝縮との循環を継続すること、すなわち、凝縮器での凝縮プロセスから熱が放出されることによって生じるものである。
【００１０】
エンベロープは、ランプの内側から見られた場合に、凸状とすることができる。このことは、エンベロープに存在している作動流体が、空間内でのランプの向きとは無関係に、重力によって固定ウィック材料に移送され得るので、有利である。換言すれば、エンベロープの形状は、少なくとも、ランプが、口金が上又は口金が下の方向で、並びに水平の方向で動作されることを可能にする。これにより、作動流体の効率的な循環が、ランプの向きとは無関係に達成され得る。エンベロープのこの設計によって、ＳＳＬの改善された冷却が、更に達成され得る。
【００１１】
「エンベロープが凸状である」という表現は、そのエンベロープが、ランプの内部から見られた場合に、凸形状を有する部分を備えていることとして理解されたい。
【００１２】
エンベロープは、更に、ランプの外側から見られた場合に、内方にアーチ状である外側表面を備え得る。より具体的には、内向きに丸みを帯びている、エンベロープの一部分は、空間内で集束する、エンベロープの内部からの方向を指し示す、隣り合う面法線を有し得る。エンベロープによって覆われている容積は、よりコンパクトなランプをもたらすように、更に縮小され得る。
【００１３】
エンベロープは、砂時計形状、又は鞍形状とすることができる。
【００１４】
固定ウィック材料は、ダンベル形状とすることができる。これにより、固定ウィック材料は、空間内でのランプの向きとは無関係に、エンベロープで凝縮された作動流体が重力によって移送される、エンベロープの部分と流体接続するように、効率的に配設され得る。これにより、固定ウィック材料は、エンベロープの遠位端に、又は遠位端の近傍に形成されている、作動流体の貯留部と、物理的に接触することができる。
【００１５】
ウィック構造体は、支持体を更に含み得る。これにより、固定ウィック材料の改善された剛性がもたらされ得る。固定ウィック材料の形状は、更に、支持体によって形成され得る。支持体は、更に、ヒートシンクとしての機能を果たし得る。
【００１６】
固定ウィック材料は、少なくとも、固体光源が、光を放射するアクティブ状態になると、当該固体光源に作動流体を移送するように適合され得る。
【００１７】
固定ウィック材料は、固体光源を収容し得る。それゆえ、ＳＳＬは、固定ウィック材料の内側に、又はその表面に配設され得る。これにより、固定ウィック材料と固体光源との間の、効率的な熱輸送がもたらされる。
【００１８】
ウィック構造体の少なくとも一部分は、第２の材料によって取り囲まれている第１の材料によって形成され得る。それゆえ、材料の一方は、エンベロープに関連して、他方の材料を支持及び／又は固定することができる。
【００１９】
本発明は、請求項に記載されている特徴の、全ての可能な組合せに関するものである点に留意されたい。
【００２０】
本発明の更なる適用範囲が、以下に記載される「発明を実施するための形態」から明らかとなるであろう。しかしながら、「発明を実施するための形態」及び特定の実施例は、本発明の好ましい実施形態を示すものであるが、当業者には、この「発明を実施するための形態」から、本発明の範囲内の様々な変更形態及び修正形態が明らかなものとなるので、例示としてのみ記載されている点を理解されたい。
【００２１】
それゆえ、本発明は、説明される装置の特定の構成部品、又は説明される方法の特定のステップには、そのような装置及び方法が変更される可能性があるため、限定されるものではないことが理解されよう。また、本明細書で使用される用語法は、特定の実施形態を説明することのみを目的とするものであり、限定することを意図するものではない点も理解されたい。本明細書及び添付の請求項で使用されるとき、冠詞「１つの（a）」、「１つの（an）」、「その（the）」、及び「前記（said）」は、文脈が明確にそうではないことを指示しない限り、それらの要素の１つ以上が存在することを意味するように意図されている点が、留意されなければならない。それゆえ、例えば、「１つのユニット（a unit）」又は「そのユニット（the unit）」への言及は、いくつかの装置などを包含し得る。更には、単語「備える（comprising）」、「含む（including）」、「含有する（containing）」、及び同様の表現は、他の要素又は他のステップを排除するものではない。
【図面の簡単な説明】
【００２２】
次に、本発明のこの態様及び他の態様が、本発明の実施形態を示す添付図面を参照して、より詳細に説明される。これらの図は、本発明を特定の実施形態に限定するものと見なされるべきではなく、むしろ、それらの図は、本発明を説明及び理解するために使用される。
【００２３】
これらの図で示されるように、層及び領域のサイズは、例示の目的のために誇張されており、それゆえ、本発明の実施形態の一般的な構造を例示するように提供されている。同様の参照符号は、全体を通して、同様の要素を指す。
【図１ａ】空間内での異なる向きを有する、本発明の一実施形態によるランプの側断面図である。
【図１ｂ】空間内での異なる向きを有する、本発明の一実施形態によるランプの側断面図である。
【図１ｃ】空間内での異なる向きを有する、本発明の一実施形態によるランプの側断面図である。
【図２】本発明の別の実施形態によるランプの側断面図である。
【発明を実施するための形態】
【００２４】
以下に、現時点で好ましい本発明の実施形態が示されている、添付図面を参照して、本発明が、より完全に以降で説明される。しかしながら、本発明は、多くの異なる形態で具現化され得るものであり、本明細書に記載の実施形態に限定されるものとして解釈されるべきではなく、むしろ、これらの実施形態は、徹底性及び完全性のために提供されており、本発明の範囲を当業者に完全に伝えるものである。
【００２５】
図１ａ〜図１ｃは、空間内で異なるように方向付けられている、すなわち、口金が下に、口金が上に、又は水平に方向付けられている、同じランプを示す。ランプ１００は、ウィック構造体１０２、固体光源ＳＳＬ１０４、及びエンベロープ１０６を備える。ランプ１００には、ソケット（すなわち、エジソンねじ結合具）内にねじ込まれることが可能なように、ねじ山付きとすることが可能な、口金１０７が更に設けられている。当業者は、口金が、異なる形態のものであり得ることを理解するものである。口金１０７は、更には、ランプ１００のＳＳＬ１０４に電力供給するための、ドライバ電子部品を含み得る。口金１０７は、更に、ドライバ電子部品を冷却するための、ヒートシンクを含み得る。
【００２６】
ウィック構造体１０２は、ＳＳＬ１０４を収容している固定ウィック材料１０８を含む。ＳＳＬ１０４は、例えば、発光ダイオード又はレーザダイオードとすることができる。ＳＳＬを形成する材料は、有機及び／又は無機とすることができる。明確化のために、ＳＳＬが２つだけ示されている。しかしながら、当業者は、ランプ１００が代替的には１つのＳＳＬ、又は３つ以上のＳＳＬを備え得ることを理解するものである。
【００２７】
エンベロープ１０６は、キャビティ１０９を形成している。キャビティ１０９は、以下で論じられるように、作動流体１１０を含むヒートパイプとして構成されている。ウィック構造体１０８は、毛細管力によって、ＳＳＬ１０４に向けた、作動流体１１０の移送１１２を可能にする。図１ａ〜図１ｃに示される実施形態では、ウィック構造体１０２は、固定ウィック材料１０８によって形成されている点に留意されたい。固定ウィック材料１０８は更に、大きい表面積を有するように、かつ、エンベロープ１０６の遠位端１１４及び遠位端１１６に到達するように、ダンベル形状である。このことは、作動流体１１０の、改善された再循環を可能にする。固定ウィック材料１０８は、図１ａ〜図１ｃに示されるように、単一ユニットとして形成される場合もあれば、又は、複数のユニットを含む場合もある。
【００２８】
次に、ランプ１００のＳＳＬ１０４の熱管理が、ＳＳＬ１０４の冷却の観点から説明される。ランプ１００の動作時又は動作後には、ＳＳＬ１０４は、上昇した温度を有し得る。ＳＳＬ１０４の上昇した温度は、光を生成するそれらＳＳＬの効率を低下させる恐れがあり、それゆえ、ランプ１００からの光出力が、低減される恐れがある。しかしながら、ＳＳＬ１０４の冷却は、ウィック構造体１０２内に収容されている、ＳＳＬ１０４の付近に、作動流体１１０を冷却材として効率的に通過させることによって達成され得る。より具体的には、固定ウィック材料１０８によってＳＳＬ１０４に移送される（１１２）作動流体１１０の一部分が、相転移によって、すなわち、作動流体１１０が気化されることによって、ＳＳＬを冷却することができる。高温のＳＳＬ１０４と熱接触した後に気化される作動流体１１０は、その後、破線矢印１１８によって示されるように、固定ウィック材料１０８から抜け出ることができる。
【００２９】
気化された作動流体１１０は、エンベロープ１０６の表面に到達すると、凝縮する（１２０）ことができる。次いで、重力が、凝縮された作動流体１１０を、実線矢印１２２によって示されるように、エンベロープ１０６の遠位端１１４に移送する。エンベロープ１０６の底部で、固定ウィック材料１０８に到達した作動流体１１０は、次いで、固定ウィック材料１０８によって再吸収され得る。結果として、作動流体１０８は、ＳＳＬ１０４を冷却するために再び使用され得るように、ランプ１００の内部で再循環することができる。換言すれば、エンベロープ１０６のキャビティ１０９は、ヒートパイプとして構成されており、固定ウィック材料１０８は、物質移送並びに熱伝達によって、ヒートパイプ機能を補助している。これにより、効率的な熱管理が、ランプ１００の内部にもたらされる。
【００３０】
エンベロープ１０６は、ランプ１００の外側から見られた場合に、内向きに窪んでいる（１２４）。このことは、エンベロープ１０６で凝縮されている作動流体１１０が、ランプ１００の向きとは無関係に、重力によって固定ウィック材料１０８に移送されるので、有利である。それゆえ、エンベロープ１０６は、ランプ１００の空間的な向きとは無関係に、固定ウィック材料１０８に向けて、凝縮された作動流体１１０が誘導されるように成形されている。これにより、固定ウィック材料１０８に到達していない、凝縮された作動流体１１０の貯留部の形成が、軽減される。これにより、ランプ１００の向きとは無関係に、作動流体１１０の効率的な循環が達成され得る。このことは、図１ｂ及び図１ｃに示されている。図１ｂ及び図１ｃは、口金が上の位置、及び水平位置での、ランプ１００の動作を示す。ランプ１００の設計はまた、図１ａ〜図１ｃで開示されているもの以外の、空間内での他の向きで動作されている場合にも、ランプ１００の効率的な冷却を可能にする点に留意されたい。ランプ１００は、例えば、口金が下の向きに対して、４５度で方向付けられ得る。
【００３１】
図１ｂのランプ１００では、凝縮された作動流体１１０は、エンベロープ１０６の遠位端１１６で、固定ウィック材料１０８に到達し得る。図１ｃでは、凝縮された作動流体１１０は、エンベロープ１０６の遠位端１１４又は遠位端１１６で、固定ウィック材料１０８に到達し得る。それゆえ、ランプ１００の水平位置では、ＳＳＬへの作動流体１１０の移送１１２のための、２つの部分が提供されている。
【００３２】
固定ウィック材料１０８は、ダンベルとして成形されており、すなわち、固定ウィック材料１０８の、Ｈ字形状のプロファイルによって示されている。固定ウィック材料１０８は、更に、エンベロープ１０６に関連して固定されるように配設されていることにより、ランプ１００が回転される場合に、固定ウィック材料１０８の形状が実質的に維持される。これにより、固定ウィック材料１０８に到達していない、凝縮された作動流体の貯留部の形成が、軽減される。
【００３３】
他の実施形態によれば、固定ウィック材料は、Ｔ字形状、又は逆Ｔ字形状とすることができる。この目的のために、図２は、テーパ状のエンベロープ２０６を備える、ランプ２００の側断面図を示す。これにより、エンベロープ２０６の太さは、漸減する。エンベロープ２０６は、更に、ランプ２００の内側から見られた場合に凸状である。ランプ２００は、図２では水平に方向付けられているが、空間内の任意の向きで、効率的に使用され得る。ランプ２００は、固定ウィック材料２０８を含むウィック構造体２０２、固体光源ＳＳＬ２０４、及び口金２０７を更に備える。エンベロープ２０６は、図１ａ〜図１ｃのキャビティ１０９に関連して論じられたように、キャビティ２０９を形成している。キャビティ２０９もまた、上述されたように、作動流体２１０を含むヒートパイプとして構成されている。
【００３４】
ウィック構造体２０２の一部分は、第２の材料２０３によって取り囲まれている第１の材料２０８によって形成されている。第２の材料２０３は、支持体２０３とすることができる。これにより、固定ウィック材料２０８の改善された剛性がもたらされ得ることにより、ウィック構造体２０２の固定ウィック材料２０８は、ランプ２００の向きとは無関係に、エンベロープ２０６に関連して固定されるように配設される。ランプの他の実施形態は、２つ以上の固定ウィック材料を含む、ウィック構造体を備えることも可能である点が理解される。例えば、図１ａ〜図１ｃのランプは、２つ以上の固定ウィック材料を含む、ウィック構造体を備え得る。
【００３５】
以下では、ランプ２００のヒートパイプ機能が説明される。ＳＳＬ２０４の冷却は、固定ウィック材料２０８内に収容されているＳＳＬ２０４への、作動流体２１０の効率的な移送２１２によって達成される。作動流体２１０は、更に、ＳＳＬ２０４の継続的な冷却が達成され得るように、効率的に再循環される。高温のＳＳＬ２０４と熱接触した後に気化されている作動流体２１０は、その後、破線矢印２１８によって示されるように、固定ウィック材料２０８から抜け出ることができる。気化された作動流体２１０は、エンベロープ２０６の表面に到達すると、凝縮する（２２０）ことができる。次いで、重力が、凝縮された作動流体２１０を、実線矢印２２２によって示されるように、エンベロープ２０６の遠位端２１４に移送する。エンベロープ１０６の遠位端２１４で、固定ウィック材料２０８に到達した作動流体２１０は、次いで、固定ウィック材料２０８によって再吸収され得ることにより、その作動流体２１０は、ランプ２００の内部で再循環することができる。
【００３６】
ランプ２００が、口金が下の構成（図示せず）で動作されている場合も、凝縮された作動流体２１０はまた、主に、遠位端２１４で固定ウィック材料２０８に到達することになる点に留意されたい。しかしながら、ランプ２００が、口金が上の構成（図示せず）で配設されている場合には、凝縮された作動流体２１０は、代わりに、遠位端２１６で固定ウィック材料２０８に到達することになる。それゆえ、エンベロープ２０６の形状は、ランプ２００の空間に対する向きとは無関係に、凝縮された作動流体２１０の、固定ウィック材料２０８への効率的な移送を可能にする。これにより、ＳＳＬ２０４の効率的な冷却が得られる。それゆえ、より効率的なランプ２００が提供される。
【００３７】
エンベロープは、透過性ガラス、石英、透過性セラミック、又は透過性ポリマーを含み得る。用語「透過性」とは、特に、透明又は半透明を指し得るものであり、（可視）光に対する透過能を指す。
【００３８】
エンベロープの材料は、ＰＥ（polyethylene；ポリエチレン）、ＰＰ（polypropylene；ポリプロピレン）、ＰＥＮ（polyethylene napthalate；ポリエチレンナフタレート）、ＰＣ（polycarbonate；ポリカーボネート）、ポリメチルアクリレート（polymethylacrylate；ＰＭＡ）、ポリメチルメタクリレート（polymethylmethacrylate；ＰＭＭＡ）（Plexiglas（登録商標）又はPerspex（登録商標））、セルロースアセテートブチレート（cellulose acetate butyrate；ＣＡＢ）、シリコーン、ポリ塩化ビニル（polyvinylchloride；ＰＶＣ）、ポリエチレンテレフタレート（polyethylene terephthalate；ＰＥＴ）、（ＰＥＴＧ）（glycol modified polyethylene terephthalate；グリコール変性ポリエチレンテレフタレート）、ＰＤＭＳ（polydimethylsiloxane；ポリジメチルシロキサン）、及びＣＯＣ（cyclo olefin copolymer；シクロオレフィンコポリマー）からなる群から選択されるような、透過性の有機材料支持体からなる群から選択される、１種以上の材料を含み得る。しかしながら、別の実施形態では、エンベロープの材料は、無機材料を含み得る。好ましい無機材料は、ガラス、（溶融）石英、透過性セラミック材料、及びシリコーンからなる群から選択される。また、無機部分及び有機部分の双方を含むハイブリッド材料も、適用され得る。エンベロープの材料のために特に好ましいものは、材料としてのＰＭＭＡ、透明ＰＣ、又はガラスである。
【００３９】
固定ウィック材料は、ＳＳＬによって生成される可視光に対して、透過性とすることができる。固定ウィック材料は、球状粒子などの粒子を含み得るものであり、特に、これらの（球状）粒子は、５〜１２０μｍのような、１〜１５０μｍの範囲から選択される、直径などの寸法を有する。（球状）粒子は、特に、ＳＳＬによって生成される可視光に対して透過性の粒子材料を含み得る。例えば、ガラス粒子又はガラスビーズが使用される場合があり、特に、中空の粒子又はビーズが使用される場合がある。前述の直径などの、正しい寸法を選択することによって、多孔質層が調達され得る。当業者には知られているように、固定ウィック材料は、液体状態の流体などの、流体の移送を可能にするように構成された、多孔質層となる。
【００４０】
作動流体は、Ｈ２Ｏ、メタノール、エタノール、ｉ−プロパノール（イソプロパノール）、１−プロパノール、ブタノール（１−ブタノールなど）、アセトン、及び（任意選択的に）アンモニアなどのうちの１種以上を含み得る。特に、作動流体は、（大気圧で）−５０〜１５０℃の範囲から選択される沸点を有する流体を含む。特に、作動流体は、ヒートパイプの予想される動作温度範囲を上回る、大気圧での沸点、特に、６０〜１３０℃の範囲の沸点を有する流体を含み得る。
【００４１】
作動流体は、アンモニア、ペンタン、アセトン、メタノール、エタノール、プロパノール、ヘプタン、及び水のうちの１種以上、特に、水、エタノール、及びメタノールのうちの１種以上、更により特定的には、水及びエタノールのうちの１種以上から選択され得る。また更なる実施形態では、作動流体は、Ｈ２Ｏ、メタノール、エタノール、プロパノール（１−プロパノール及びｉ−プロパノールのうちの１種以上など）、ブタノール（１−ブタノール、２−ブタノールなどのうちの１種以上など）、アセトン、ペンタン、ヘプタン、及び（任意選択的に）アンモニアのうちの１種以上を含む。
【００４２】
支持体は、良好な熱伝導性を有する材料を含み得る。例えば、支持体は、金属層又はセラミック層を含み得る。
【００４３】
当業者は、本発明が、上述の好ましい実施形態に決して限定されるものではないことを、理解するものである。むしろ、多くの修正形態及び変形形態が、添付の請求項の範囲内で可能である。例えば、エンベロープは、凝縮された作動流体が、ランプの空間的な向きとは無関係に、固定ウィック材料に向けて誘導されるように、砂時計形状、又は鞍形状とすることができる。
【００４４】
ＳＳＬは、ウィック構造体の固定ウィック材料と、液体接触して配設され得る。
【００４５】
ＳＳＬは、固定ウィック材料の内側に、外側に、又は隣接して配設され得る。
【００４６】
ウィック構造体は、固定ウィック材料及び支持体を含み得る点に留意されたい。固定ウィック材料は、例えば、支持体の一部分上に、層として形成され得る。
【００４７】
ＳＳＬは、キャビティから物理的に分離され得る。
【００４８】
ＳＳＬは、固定ウィック材料の内側に、又はその表面に配設され得る点に留意されたい。これにより、固定ウィック材料と固体光源との間の、効率的な熱輸送がもたらされ得る。
【００４９】
ウィック構造体は、ＳＳＬが固定ウィック材料から物理的に分離されているが、固定ウィック材料に熱接触しているように、ＳＳＬが内部に配設されている、第２のキャビティを更に含み得る。更には、図面、本開示、及び添付の請求項を検討することにより、開示される実施形態に対する変形形態が、当業者によって理解され、特許請求される発明を実施する際に遂行され得る。請求項では、単語「含む（comprising）」は、他の要素又はステップを排除するものではなく、不定冠詞「１つの（a）」又は「１つの（an）」は、複数を排除するものでない。特定の手段が、互いに異なる従属請求項内に記載されているという単なる事実は、これらの手段の組み合わせが、有利には使用され得ないことを示すものではない。
【図１ａ】
0006467113.tif 000002
【図１ｂ】
0006467113.tif 000003
【図１ｃ】
0006467113.tif 000004
【図２】
0006467113.tif 000005